(57)【要約】【課題】リテーナがハウジングから外れるのを防止する。【解決手段】電線１０の端末部に固着された端子金具１１を収容する端子収容室２１が形成された合成樹脂製のハウジング２０と、端子収容室２１と連通するようにハウジング２０に形成された筒状のゴム栓嵌合部２６Ａと、電線１０に外嵌した状態でゴム栓嵌合部２６Ａ内に嵌合されることで、端子収容室２１への液体の浸入を防ぐゴム栓３０と、ゴム栓３０の後側に装着されてハウジング２０に係止し、ゴム栓３０のハウジング２０からの離脱を防止するリテーナ４０と、ゴム栓３０とリテーナ４０との対向面３０Ａ，４０Ａに形成され、リテーナ４０がハウジング２０から離脱する離脱方向に対して斜めに傾く傾斜をなし、ゴム栓３０を介してリテーナ４０に作用する離脱方向の力を離脱方向に対して交差する方向に分散する作用力分散部７１とを備える。【選択図】図７
2015122267.tif 000002
【特許請求の範囲】
【請求項１】
電線の端末部に固着された端子金具を収容するための端子収容室が形成された合成樹脂製のハウジングと、
前記端子収容室と連通するように前記ハウジングに形成された筒状をなすゴム栓嵌合部と、
前記電線に外嵌した状態で前記ゴム栓嵌合部の内部に嵌合されることで、前記端子収容室への液体の浸入を防ぐゴム栓と、
前記ゴム栓の後側に装着されて前記ハウジングに係止し、前記ゴム栓が前記ハウジングから離脱することを防止するリテーナと、
前記ゴム栓と前記リテーナとの対向面に形成され、前記リテーナが前記ハウジングから離脱する離脱方向に対して斜めに傾く傾斜をなし、前記ゴム栓を介して前記リテーナに作用する前記離脱方向の力を前記離脱方向に対して交差する方向に分散することが可能な作用力分散部と、
を備えることを特徴とする防水コネクタ。
【請求項２】
前記リテーナは、前記ゴム栓嵌合部の後側に形成された筒状をなすリテーナ嵌合部の内部に収容されるものであり、
前記リテーナの外周面と前記リテーナ嵌合部の内周面とには、互いに係止することで前記リテーナが前記リテーナ嵌合部から離脱することを規制する係止部が設けられ、
前記作用力分散部は、前記係止部の内側に位置するとともに前記離脱方向に向かって径方向内側に傾く傾斜をなしている請求項１に記載の防水コネクタ。
【請求項３】
前記ゴム栓は、前記電線に個別に外嵌されるものであって前記電線を挿通する挿通孔を１つだけ有するものであり、
前記ゴム栓と前記リテーナとの対向面には、前記挿通孔を内側に含んで前記リテーナの離脱方向に沿う方向に凹凸嵌合する凹凸嵌合部が設けられ、
前記作用力分散部は、前記凹凸嵌合部の全周に形成されている請求項１または請求項２に記載の防水コネクタ。
【請求項４】
複数の前記ゴム栓および前記ゴム栓嵌合部を有し、
前記係止部は、複数の前記ゴム栓嵌合部に対応して設けられ、
前記凹凸嵌合部および前記作用力分散部は、複数の前記ゴム栓に対応して設けられており、
前記作用力分散部は、前記係止部の内側に位置するとともに前記離脱方向に向かって径方向内側に傾く傾斜をなしている請求項３に記載の防水コネクタ。
【発明の詳細な説明】
【技術分野】
【０００１】
本発明は、防水コネクタに関する。
【背景技術】
【０００２】
従来、電線の端末部に固着された端子金具が収容されるハウジングを有し、ハウジングに設けられた筒状をなす部分の内側に、電線とハウジングとの間をシールするゴム栓が嵌着され、そのゴム栓の後側に、ハウジングからゴム栓が離脱することを防止するリテーナが装着される防水コネクタが知られている。
【０００３】
例えば下記特許文献１に記載の防水コネクタは、端子金具が収容されるキャビティがハウジングの内部に複数形成され、電線に外嵌されたゴム栓は各キャビティの後端部に弾性的に押し潰されるようにして嵌め込まれ水密状に嵌着される。リテーナは、複数のキャビティの後方に連通して設けられたリテーナ取付け空間に嵌着され、リテーナの外周面に形成された突起が、リテーナ取付け空間の周面に形成された係止孔に係合することで、ハウジングからの離脱が防止される。
【先行技術文献】
【特許文献】
【０００４】
【特許文献１】特開２００１−６０４７５号公報
【発明の概要】
【発明が解決しようとする課題】
【０００５】
ところで、上記のような防水コネクタを相手側コネクタに嵌合する過程では、ゴム栓を含む防水手段によって封止される空間の容積が減少して内圧が上昇するため、その内圧が、ゴム栓を介すことによりリテーナに対して離脱方向の力として作用する。そして、電線の径寸法が大きい等によりゴム栓の径寸法（幅寸法）が比較的大きい場合には、内圧が作用する面積が大きくなるため、ゴム栓を介してリテーナに作用する離脱方向の力が増大し、リテーナがハウジングから外れてしまうことが懸念される。
【０００６】
本発明は上記のような事情に基づいて完成されたものであって、リテーナがハウジングから外れるのを防止することを目的とする。
【課題を解決するための手段】
【０００７】
本発明の防水コネクタは、電線の端末部に固着された端子金具を収容するための端子収容室が形成された合成樹脂製のハウジングと、前記端子収容室と連通するように前記ハウジングに形成された筒状をなすゴム栓嵌合部と、前記電線に外嵌した状態で前記ゴム栓嵌合部の内部に嵌合されることで、前記端子収容室への液体の浸入を防ぐゴム栓と、前記ゴム栓の後側に装着されて前記ハウジングに係止し、前記ゴム栓が前記ハウジングから離脱することを防止するリテーナと、前記ゴム栓と前記リテーナとの対向面に形成され、前記リテーナが前記ハウジングから離脱する離脱方向に対して斜めに傾く傾斜をなし、前記ゴム栓を介して前記リテーナに作用する前記離脱方向の力を前記離脱方向に対して交差する方向に分散することが可能な作用力分散部と、を備えることを特徴とする。
【発明の効果】
【０００８】
本発明によれば、ゴム栓を介してリテーナに作用する離脱方向の力が小さくなるから、リテーナがハウジングから外れることを防ぐことができる。
【図面の簡単な説明】
【０００９】
【図１】本実施例１における防水コネクタを示す平面図
【図２】防水コネクタを示す背面図
【図３】防水コネクタを示す断面図
【図４】ハウジングを示す斜視図
【図５】ゴム栓を示す斜視図
【図６】電線の端末部に固着された端子金具、リテーナおよびゴム栓を示す斜視図
【図７】凹凸嵌合部および作用力分散部を示す防水コネクタの一部拡大断面図
【発明を実施するための形態】
【００１０】
（１）本発明の防水コネクタは、前記リテーナは、前記ゴム栓嵌合部の後側に形成された筒状をなすリテーナ嵌合部の内部に収容されるものであり、前記リテーナの外周面と前記リテーナ嵌合部の内周面とには、互いに係止することで前記リテーナが前記リテーナ嵌合部から離脱することを規制する係止部が設けられ、前記作用力分散部は、前記係止部の径方向内側に位置するとともに前記離脱方向に向かって径方向内側に傾く傾斜をなしているものとしてもよい。
このような構成によれば、ゴム栓を介してリテーナに作用する離脱方向の力は、作用力分散部において径方向外方に分散され、リテーナの外周面に設けられた係止部が、リテーナ嵌合部の内周面に設けられた係止部側に押されるから、係止部の係止力を高めることができ、もってリテーナがハウジングから外れることをより確実に防ぐことができる。
【００１１】
（２）本発明の防水コネクタは、前記ゴム栓は、前記電線に個別に外嵌されるものであって前記電線を挿通する挿通孔を１つだけ有するものであり、前記ゴム栓と前記リテーナとの対向面には、前記挿通孔を内側に含んで前記リテーナの離脱方向に沿う方向に凹凸嵌合する凹凸嵌合部が設けられ、前記作用力分散部は、前記凹凸嵌合部の全周に形成されているものとしてもよい。
このような構成によれば、凹凸嵌合部の全周において、ゴム栓を介してリテーナに作用する離脱方向の力が交差する方向に分散されるから、例えば周方向の一部のみにおいて作用力が分散される場合に比して、ゴム栓を介してリテーナに作用する離脱方向の力を小さくすることができ、もってリテーナがハウジングから外れることをより確実に防ぐことができる。
【００１２】
（３）本発明の防水コネクタは、複数の前記ゴム栓および前記ゴム栓嵌合部を有し、前記係止部は、複数の前記ゴム栓嵌合部の全てに対して個々に対応して設けられ、前記凹凸嵌合部および前記作用力分散部は、複数の前記ゴム栓の全てに対して個々に対応して設けられており、前記作用力分散部は、前記係止部の径方向内側に位置するとともに前記離脱方向に向かって径方向内側に傾く傾斜をなしているものとしてもよい。
このような構成によれば、各ゴム栓を介してリテーナに作用する離脱方向の力は、各ゴム栓に対応して設けられた作用力分散部において径方向外方に分散され、各ゴム栓嵌合部に対応して設けられた係止部では、リテーナの外周面に設けられた係止部が、リテーナ嵌合部の内周面に設けられた係止部側に押される。したがって、各ゴム栓嵌合部に対応して設けられた係止部の係止力を効果的に高めることができ、リテーナがハウジングから外れることをより確実に防ぐことができる。
【００１３】
＜実施例１＞
以下、本発明を具体化した一実施例について、図１〜図７を参照しつつ詳細に説明する。
＜防水コネクタＣの全体構成＞
本実施例１の防水コネクタＣは、電線１０の端末部に固着された端子金具１１が収容される端子収容室２１が設けられたハウジング２０と、電線１０とハウジング２０とに密着することで端子収容室２１への液体の浸入を防ぐゴム栓３０と、ゴム栓３０の後側に位置してゴム栓３０がハウジング２０から離脱することを防止するリテーナ４０と、ハウジング２０を覆うシールドシェル６０とを有するものである。以下、各構成部材において、図示しない相手側コネクタとの嵌合面側（図１の右側）を前方、その反対側を後方とし、また図２の上側を上方、下側を下方として説明する。
【００１４】
＜ハウジング２０＞
ハウジング２０は合成樹脂製であり、図４に示すように、全体として横長の扁平な形状をなしている。ハウジング２０の内部には、その後方から端子金具１１を収容するための複数室（本実施例では３室）の端子収容室２１が、幅方向（左右方向）に並ぶように設けられている。各端子収容室２１には、挿入された端子金具１１に係止してその抜け止めを図るランス２２が設けられている（図３参照）。
【００１５】
ハウジング２０の前後方向における略中央部には、図４に示すように、全周に亘って外側に張り出すようにしてフランジ部２３が設けられている。ハウジング２０のうちフランジ部２３よりも前側の部分は、相手側コネクタと嵌合するコネクタ嵌合部２４とされている。コネクタ嵌合部２４の外周面には、相手側コネクタとの間をシールするシールリング２５が嵌着される（図３参照）。
【００１６】
ハウジング２０のうちフランジ部２３よりも後側には、図３に示すように、ゴム栓３０およびリテーナ４０を収容可能な嵌合筒部２６が設けられている。嵌合筒部２６は、図４に示すように、３室の端子収容室２１と個別に対応するように並列配置された３つの筒状部２７を有している。各筒状部２７は、端子収容室２１の後端側部分を構成し、筒状部２７内には、端子金具１１のうち電線１０の端末部に圧着されたバレル部１２が収容される。
【００１７】
嵌合筒部２６は、端子収容室２１及び筒状部２７と個別に対応する３つのゴム栓嵌合部２６Ａを備えている。各ゴム栓嵌合部２６Ａは、円筒形をなし、筒状部２７の後端部を構成している。各ゴム栓嵌合部２６Ａ内には、夫々、ゴム栓３０が嵌合される。
【００１８】
嵌合筒部２６は、ゴム栓嵌合部２６Ａの後方に隣接するリテーナ嵌合部２６Ｂを備えている。リテーナ嵌合部２６Ｂは、ゴム栓嵌合部２６Ａと同軸状に対応する略円形空間を互いに連通させた横長非円形の筒状をなしている（図２参照）。リテーナ嵌合部２６Ｂの内部空間は、全て（３つ）のゴム栓嵌合部２６Ａ（筒状部２７）と連通している。リテーナ嵌合部２６Ｂの内部空間にはリテーナ４０が嵌合（収容）される。
【００１９】
リテーナ嵌合部２６Ｂの内周面には、係止部５０を構成する３対の係止凹部５０Ａが形成されている。左右方向において、３対の係止凹部５０Ａは、３つのゴム栓嵌合部２６Ａと対応するように配置されている（図４参照）。各対の係止凹部５０Ａは、リテーナ嵌合部２６Ｂの上面側と下面側とに分かれて配置されている。各対の係止凹部５０Ａは、各ゴム栓嵌合部２６Ａ（筒状部２７）の幅方向における略中央に位置して設けられている。
【００２０】
係止凹部５０Ａは、幅方向に若干長い長方形状をなしていて、嵌合筒部２６を内周側から外周側へ上下方向に貫通する孔である。すべての係止凹部５０Ａは、略同形とされている。係止凹部５０Ａの開口領域における前端縁は、前後方向において、リテーナ嵌合部２６Ｂの前端（即ち、ゴム栓嵌合部２６Ａの後端）と同じ位置に配置されている。
【００２１】
各係止凹部５０Ａの後方には、図３に示すように、リテーナ嵌合部２６Ｂにリテーナ４０を嵌合する際に、リテーナ４０に設けられた係止凸部５０Ｂを係止凹部５０Ａに誘い込むための誘い込み面５１が設けられている。誘い込み面５１は、リテーナ嵌合部２６Ｂの後端に向かって外側に開く傾斜をなしている。
【００２２】
ハウジング２０には、図３に示すように、シールドシェル６０の後端に係止することでシールドシェル６０がハウジング２０から離脱するのを規制するための複数（本実施例では４つ）の爪部２８が設けられている。爪部２８は、嵌合筒部２６の上面側と下面側とに一対ずつ配置されている。
【００２３】
爪部２８は、フランジ部２３から片持ち状をなして後方に延出する延出部２９の後端に設けられている。爪部２８は、嵌合筒部２６の前後方向の中間部であって係止凹部５０Ａよりも前側に位置している。延出部２９は、上面および下面が略水平をなす薄い平板状をなし、上下方向（嵌合筒部２６の内外方向）に弾性変形可能とされている。
【００２４】
嵌合筒部２６の上面側に設けられた爪部２８は、延出部２９の上面に突設され、嵌合筒部２６の上端よりも上方に位置している。嵌合筒部２６の下面側に設けられた爪部２８は、延出部２９の下面に突設され、嵌合筒部２６の下端よりも下方に位置している。
【００２５】
各爪部２８の後面には、シールドシェル６０を後方からハウジング２０に組み付ける際に、シールドシェル６０が爪部２８に当接して延出部２９がスムーズに弾性撓みすることを誘導する撓み誘導部２８Ａが形成されている。撓み誘導部２８Ａは、爪部２８の後端から前方に向かって少しずつ爪部２８の高さ寸法が増すように傾斜する面である。各爪部２８の前面には、図３に示すように、シールド筒部６２の後端に係止してシールドシェル６０の後方への移動を制限する移動制限部２８Ｂが設けられている。移動制限部２８Ｂは、延出部２９に対して略直角をなして切り立つ面である。
【００２６】
＜ゴム栓３０＞
ゴム栓３０は、電線１０に個別に外嵌されるものであって、電線１０を挿通する挿通孔３１を１つだけ有している。ゴム栓３０は、図５に示すように、中央部に挿通孔３１を有する略円筒状に形成されるとともに、内周面と外周面とには、それぞれ電線１０の外周面およびゴム栓嵌合部２６Ａの内周面に密着するように複数条のリップ３２が膨出して設けられている。
【００２７】
ゴム栓３０をゴム栓嵌合部２６Ａに嵌合していない自由状態では、ゴム栓３０の外形寸法は、ゴム栓嵌合部２６Ａの内径よりも大きい寸法に設定され、ゴム栓３０をゴム栓嵌合部２６Ａ内に嵌合した状態では、ゴム栓３０が弾性的に縮径変形させられる。電線１０に嵌着されたゴム栓３０がゴム栓嵌合部２６Ａの径方向内側に嵌合されることで、電線１０の外周とゴム栓嵌合部２６Ａ（筒状部２７）の内周との間が液密に封止され、端子収容室２１への液体の浸入が防止される。なお、ゴム栓３０の後面３０Ａには、凹凸嵌合部７０を構成する嵌合凸部７０Ａおよび作用力分散部７１を構成するゴム栓側作用力分散部７１Ａが設けられている。嵌合凸部７０Ａおよびゴム栓側作用力分散部７１Ａについては後ほど詳しく説明する。
【００２８】
＜リテーナ４０＞
リテーナ４０は合成樹脂製であり、図６に示すように、電線１０を内側に挟むように嵌合して合体される一対の半割体４１が薄板状のヒンジ４２で連結されてなる。各半割体４１は、全体としてゴム栓３０の配列方向（幅方向）に細長い形状をなし、その幅方向における一端同士がヒンジ４２で連結されている。
【００２９】
各半割体４１には、電線１０との干渉回避用の半円状の凹み部４３が形成されている。一対の半割体４１は、凹み部４３に電線１０を嵌合させるようにして上下方向に合体される。一対の半割体４１を合体させると、各半割体４１に設けられた凹み部４３によって電線１０を前後方向に貫通させる略円形の貫通孔４４が形成される。貫通孔４４は、ゴム栓３０の挿通孔３１よりも一回り大きい円形状をなしている。
【００３０】
リテーナ４０は、一対の半割体４１が合体した状態でリテーナ嵌合部２６Ｂ内に嵌合される。リテーナ嵌合部２６Ｂに嵌合したリテーナ４０は、図３に示すように、そのリテーナ４０の前面４０Ａをゴム栓３０の後面３０Ａに当接させる。このリテーナ４０の当接作用により、３つのゴム栓３０が後方へ遊動したりハウジング２０から離脱することを防ぐ。なお、リテーナ４０の前面４０Ａには、凹凸嵌合部７０を構成する嵌合凹部７０Ｂおよび作用力分散部７１を構成するリテーナ側作用力分散部７１Ｂが設けられている。嵌合凹部７０Ｂおよびリテーナ側作用力分散部７１Ｂについては後ほど詳しく説明する。
【００３１】
リテーナ４０の外周面は、図２に示すように、筒状部２７の内周形状と対応する弧状をなす面（以下、弧状面４５と称する）が幅方向に並んだ形態とされている。リテーナ４０の外周面には、係止部５０を構成する３対の係止凸部５０Ｂが形成されている。３対の係止凸部５０Ｂは、リテーナ４０がリテーナ嵌合部２６Ｂに嵌合した状態で係止凹部５０Ａと係止するように、各弧状面４５に上下に分かれて一対ずつ設けられている。係止凸部５０Ｂは、各弧状面４５の頂点（各弧状面４５の左右方向における中心）に設けられている。
【００３２】
係止凸部５０Ｂは、図３に示すように、リテーナ４０の前端に位置して設けられている。係止凸部５０Ｂの前面は、リテーナ嵌合部２６Ｂにリテーナ４０を嵌合する際に、係止凸部５０Ｂを係止凹部５０Ａにスムーズに嵌合させやすくする傾斜面５２とされている。傾斜面５２は、係止凸部５０Ｂの前端から後方に向かって少しずつ係止凸部５０Ｂの突出寸法を増す傾斜をなしている。係止凸部５０Ｂの後面は、リテーナ嵌合部２６Ｂにリテーナ４０が嵌合すると、係止凹部５０Ａの後側の面に対して前後方向に係止する係止面５３とされている。係止面５３は、リテーナ４０の外周面に対して略直角に切り立つ面である。リテーナ４０の係止凸部５０Ｂがリテーナ嵌合部２６Ｂの係止凹部５０Ａに嵌合して係止面５３がそれぞれ係止することで、リテーナ４０がハウジング２０に固定される。
【００３３】
＜シールドシェル６０＞
シールドシェル６０はアルミダイキャスト製であって、図１に示すように、コネクタ嵌合部２４を覆う板状部分を有するシールド板部６１と、嵌合筒部２６の外周面を覆う筒状をなすシールド筒部６２と、シールドシェル６０がハウジング２０に対して正規の位置に組み付けられるとハウジング２０のフランジ部２３に後方から突き当たった状態となる張出部６３と、図示しない金属製のケースに固定される固定部６４とを備えている。
【００３４】
シールド筒部６２は、横長の長円筒形をなして前後方向に開口している。シールド筒部６２は、嵌合筒部２６のうち前側の部分を覆う大きさとされている（図３参照）。シールド筒部６２の外周面には、３本の電線１０を一括してシールドする図示しない編組線の端部がカシメリング６８によってかしめ付けられる。カシメリング６８は、シールド筒部６２の略全体にわたりかしめ付けられる。
【００３５】
シールド筒部６２の後端には、ハウジング２０の爪部２８と係止するための爪係止部６７が設けられている（図３参照）。爪係止部６７は、シールド筒部６２の後端の開口縁から径方向内側へ略直角をなして突出して設けられている。
【００３６】
張出部６３は、シールド筒部６２の前端に設けられ、シールド筒部６２の略全周にわたり外側に張り出す形態とされている。張出部６３の外形は横長の長方形状とされている。
【００３７】
シールド板部６１は、ハウジング２０の下面側を全体的に覆う板状をなす底板部６１Ａと、ハウジング２０の側面側を全体的に覆う板状をなす側板部６１Ｂとを有している。底板部６１Ａは、張出部６３の下縁から略直角をなして前方に屈曲された幅方向に長い長方形状をなしている。一対の側板部６１Ｂは、張出部６３の両側縁から略直角をなして前方に屈曲された前後方向に長い長方形状をなしている。底板部６１Ａおよび側板部６１Ｂの前端は、ハウジング２０から前方に突出する端子金具１１よりも前側に至っている。
【００３８】
固定部６４は、シールド板部６１の前端に設けられている。固定部６４は、底板部６１Ａおよび一対の側板部６１Ｂに一ずつ設けられている。各固定部６４は、底板部６１Ａおよび一対の側板部６１Ｂから外側に略直角に屈曲された形態とされ、各固定部６４には、前後方向（板厚方向）に貫通するボルト挿通孔６６が形成されている。ボルト挿通孔６６に挿通したボルトを図示しない金属製のケースに設けられたボルト締結孔に締め付けることで、シールドシェル６０がケースに固定される。
【００３９】
＜凹凸嵌合部７０および作用力分散部７１＞
さて、ゴム栓３０の後面３０Ａおよびリテーナ４０の前面４０Ａ（ゴム栓３０とリテーナ４０との対向面）には、前後方向（リテーナ４０の離脱方向に沿う方向）に凹凸嵌合する凹凸嵌合部７０が設けられている。凹凸嵌合部７０は、ゴム栓３０の後面３０Ａに設けられた嵌合凸部７０Ａと、リテーナ４０の前面４０Ａに設けられた嵌合凹部７０Ｂとを有している。
【００４０】
嵌合凸部７０Ａは、図５に示すように、各ゴム栓３０に一ずつ設けられている。嵌合凸部７０Ａは、ゴム栓３０の後面３０Ａのうち挿通孔３１の周囲が後方に突出した形態とされている。嵌合凸部７０Ａは円環状をなし、その中央に挿通孔３１が形成されている。嵌合凸部７０Ａは、挿通孔３１の全周を取り囲んでいる。嵌合凸部７０Ａの厚さ寸法（径方向の寸法）は、ゴム栓３０の厚さ寸法の略半分程度とされている。なお、嵌合凸部７０Ａの突出端面は、前後方向に対して略垂直な面とされている。
【００４１】
嵌合凹部７０Ｂは、図６に示すように、すべてのゴム栓３０に対応して設けられている。嵌合凹部７０Ｂは、各半割体４１の凹み部４３の周囲を後側に窪ませた形態とされている。嵌合凹部７０Ｂは、一対の半割体４１を合体させた状態では、嵌合凸部７０Ａの外形に整合するとともに中央に貫通孔４４が形成された円環状をなしている。嵌合凹部７０Ｂは、貫通孔４４の全周にわたり設けられている。
【００４２】
嵌合凹部７０Ｂの凹み寸法（前後方向の寸法）は、図７に示すように、嵌合凸部７０Ａの突出寸法と同等とされ、またリテーナ４０全体の前後方向の寸法の略半分程度とされている。嵌合凹部７０Ｂの凹み端面（底面）は、前後方向に対して略垂直な面とされている。
【００４３】
そして、ゴム栓３０の後面３０Ａとリテーナ４０の前面４０Ａとには、ゴム栓３０を介してリテーナ４０に作用する後向き（離脱方向でありゴム栓３０の軸線方向と平行な向き）の力を、それとは交差する方向（径方向）に分散することが可能な作用力分散部７１が形成されている。作用力分散部７１は、凹凸嵌合部７０の全周に形成されている。作用力分散部７１は、ゴム栓３０側に設けられたゴム栓側作用力分散部７１Ａと、リテーナ４０側に設けられたリテーナ側作用力分散部７１Ｂとを有している。
【００４４】
ゴム栓側作用力分散部７１Ａは、嵌合凸部７０Ａの外周面に全周にわたって形成されている。ゴム栓側作用力分散部７１Ａは、前後方向（リテーナ４０がハウジング２０から離脱する離脱方向）に対して斜めに傾く傾斜をなし、後側（離脱方向）に向かって内側に傾いている。ゴム栓側作用力分散部７１Ａが形成されることで、嵌合凸部７０Ａは、後側に向かって幅寸法が少しずつ小さくなる円錐台状をなしている。
【００４５】
ゴム栓側作用力分散部７１Ａの勾配は、全周にわたり略一定とされている。ゴム栓側作用力分散部７１Ａは、凹凸嵌合部７０が嵌合した状態では、係止凸部５０Ｂの径方向内側に配され、言い換えると、係止凸部５０Ｂと前後方向の位置が揃って配される。ゴム栓側作用力分散部７１Ａは、嵌合凸部７０Ａの突出高さの全体に形成されている。ゴム栓側作用力分散部７１Ａの前後方向の寸法は、係止凸部５０Ｂの前後方向の寸法と同等もしくは若干小さい寸法とされている。
【００４６】
リテーナ側作用力分散部７１Ｂは、嵌合凹部７０Ｂの周面に全周にわたり形成されている。リテーナ側作用力分散部７１Ｂは、ゴム栓側作用力分散部７１Ａと同様に、後側（離脱方向）に向かって径方向内側に傾くように傾斜している。リテーナ側作用力分散部７１Ｂの勾配は、ゴム栓側作用力分散部７１Ａの勾配と同等とされている。リテーナ側作用力分散部７１Ｂは、嵌合凹部７０Ｂの前端から後端に至る周面の全体に形成されている。
【００４７】
＜作用及び効果＞
次に、防水コネクタＣの組み付け手順の一例について説明する。まず、ハウジング２０にシールドシェル６０を組み付ける。シールド板部６１を前側に向けた姿勢で、シールド筒部６２の内部にハウジング２０の嵌合筒部２６を収めるようにして、シールドシェル６０をハウジング２０に対して後方から装着する。すると、シールドシェル６０の張出部６３がハウジング２０の爪部２８の撓み誘導部２８Ａに当接して延出部２９が若干内側に弾性撓みする。
【００４８】
そのままシールドシェル６０を前方に押し込むと、シールドシェル６０の爪係止部６７が爪部２８の撓み誘導部２８Ａに当接し、延出部２９をより内側に弾性撓みさせて爪部２８を乗り越え、その前方に至る。すると、延出部２９が弾性復帰し、シールドシェル６０の爪係止部６７に爪部２８が係止した状態になる。
【００４９】
このとき、シールドシェル６０の張出部６３がハウジング２０のフランジ部２３の後面に突き当たった状態になる。こうして、ハウジング２０に対して正規の位置に配されたシールドシェル６０は、ハウジング２０に設けられたフランジ部２３と爪部２８とによってシールド筒部６２が前後方向の移動を制限されることで、ハウジング２０に組み付け状態に保持される。
【００５０】
次に、電線１０を圧着した端子金具１１を端子収容室２１に挿入してランス２２に係合させる。そして、予め電線１０に外嵌しておいたゴム栓３０を、嵌合筒部２６に挿入してゴム栓嵌合部２６Ａに嵌合させる。
【００５１】
ゴム栓３０をゴム栓嵌合部２６Ａに嵌合した後、リテーナ４０を、電線１０に装着した状態でリテーナ嵌合部２６Ｂに嵌合させる。嵌合の際には、嵌合筒部２６の後方からその内部にリテーナ４０を押し込む。すると、リテーナ４０の係止凸部５０Ｂに設けられた傾斜面５２が係止凹部５０Ａの後側に設けられた誘い込み面５１に当接し、比較的スムーズに係止凸部５０Ｂが誘い込み面５１を乗り越えて係止凹部５０Ａに係止する。
【００５２】
リテーナ４０がリテーナ嵌合部２６Ｂに嵌合されると、ゴム栓３０の嵌合凸部７０Ａに対してリテーナ４０の嵌合凹部７０Ｂが後方から嵌合する。そして、ゴム栓３０の後面３０Ａとリテーナ４０の前面４０Ａとが全面的に当接した状態になる。詳しくは、ゴム栓側作用力分散部７１Ａとリテーナ側作用力分散部７１Ｂとが全面的に当接し、ゴム栓３０の後面３０Ａおよびリテーナ４０の前面４０Ａのうち凹凸嵌合部７０の外側に位置する部分同士が全面的に当接し、また嵌合凸部７０Ａの突出端面と嵌合凹部７０Ｂの底面とが全面的に当接した状態になる。こうして、リテーナ４０は、ハウジング２０から離脱することを確実に防がれた状態でハウジング２０に保持される。以上により、防水コネクタＣの組み付けが完了する。
【００５３】
本実施例の防水コネクタＣは、電線１０の端末部に固着された端子金具１１を収容するための端子収容室２１が形成された合成樹脂製のハウジング２０を有し、ハウジング２０には、端子収容室２１と連通するように筒状をなすゴム栓嵌合部２６Ａが形成されている。ゴム栓嵌合部２６Ａの内部には、端子収容室２１への液体の浸入を防ぐゴム栓３０が電線１０に外嵌した状態で嵌合される。また、ゴム栓３０の後側には、ゴム栓３０がハウジング２０から離脱することを防止するリテーナ４０が装着されてハウジング２０に係止している。そして、ゴム栓３０の後面３０Ａとリテーナ４０の前面４０Ａとには、ゴム栓３０を介してリテーナ４０に作用する後向き（離脱方向）の力を、それとは交差する方向（径方向）に分散することが可能な作用力分散部７１が形成され、作用力分散部７１は、前後方向（リテーナ４０がハウジング２０から離脱する離脱方向）に対して斜めに傾く傾斜をなしている。
【００５４】
この構成によれば、ゴム栓３０を介してリテーナ４０に作用する後向きの力が小さくなるから、リテーナ４０がハウジング２０から離脱することを防ぐことができる。すなわち、例えば防水コネクタＣと相手側コネクタとの嵌合時に、防水コネクタＣに設けられたゴム栓３０と相手側コネクタに設けられたゴム栓とによって密閉されたハウジング２０内の圧力が高まり、その内圧が、ゴム栓３０を介すことによりリテーナ４０に対して後方への離脱力として作用した場合でも、リテーナ４０に作用する離脱力は、作用力分散部７１において斜め側方（径方向における外方）に分散されることで小さくなるから、リテーナ４０がハウジング２０から離脱することを防ぐことができる。
【００５５】
また、リテーナ４０は、ゴム栓嵌合部２６Ａの後側に形成された筒状をなすリテーナ嵌合部２６Ｂの内部に収容されるものであり、リテーナ４０の外周面とリテーナ嵌合部２６Ｂの内周面とには、互いに係止することでリテーナ４０がリテーナ嵌合部２６Ｂから離脱することを規制する係止部５０が設けられ、作用力分散部７１は、係止部５０の径方向内側に位置するとともに、後方に向かって径方向内側に傾く傾斜をなしている。
【００５６】
この構成によれば、ゴム栓３０を介してリテーナ４０に作用する後向きの力は、作用力分散部７１において径方向外方に分散され、分散された外向きの力により、リテーナ４０の外周面に設けられた係止凸部５０Ｂが、リテーナ嵌合部２６Ｂの内周面に設けられた係止凹部５０Ａ側に押されるから、係止部５０の係止力を高めることができ、もってリテーナ４０がハウジング２０から離脱することをより確実に防ぐことができる。
【００５７】
また、ゴム栓３０は、電線１０に個別に外嵌されるものであって電線１０を挿通する挿通孔３１を１つだけ有するものであり、ゴム栓３０の後面３０Ａとリテーナ４０の前面４０Ａとには、挿通孔３１を内側に含んで前後方向（リテーナ４０の離脱方向に沿う方向）に凹凸嵌合する凹凸嵌合部７０が設けられ、作用力分散部７１は、凹凸嵌合部７０の全周に形成されている。
【００５８】
この構成によれば、凹凸嵌合部７０の全周において、ゴム栓３０を介してリテーナ４０に作用する後向き（軸線方向）の力が径方向外方に分散されるから、例えば周方向の一部のみにおいて力が分散される場合に比して、リテーナ４０に作用する後向きの力を小さくすることができ、もってリテーナ４０がハウジング２０から離脱することをより確実に防ぐことができる。
【００５９】
また、複数のゴム栓３０およびゴム栓嵌合部２６Ａを有し、係止部５０は、複数のゴム栓嵌合部２６Ａに対応して設けられ、凹凸嵌合部７０および作用力分散部７１は、複数のゴム栓３０の全てに対して個々に対応して設けられている。そして、作用力分散部７１は、係止部５０の径方向内側に位置するとともに後側に向かって径方向内側に傾く傾斜をなしている。
【００６０】
この構成によれば、各ゴム栓３０を介してリテーナ４０に作用する後向きの力は、各ゴム栓３０に対応して設けられた作用力分散部７１において径方向外方に分散され、各ゴム栓嵌合部２６Ａに対応して設けられた係止部５０では、リテーナ４０の外周面に設けられた係止凸部５０Ｂが、リテーナ嵌合部２６Ｂの内周面に設けられた係止凹部５０Ａ側に押される。したがって、各ゴム栓嵌合部２６Ａに対応して設けられた係止部５０の係止力を効果的に高めることができ、リテーナ４０がハウジング２０から離脱することをより確実に防ぐことができる。
【００６１】
＜他の実施例＞
本発明は上記記述及び図面によって説明した実施例に限定されるものではなく、例えば次のような実施例も本発明の技術的範囲に含まれる。
（１）上記実施例では、リテーナ４０に係止凸部５０Ｂが設けられ、嵌合筒部２６に係止凹部５０Ａが設けられているが、これに限らず、リテーナに係止凹部が設けられ、嵌合筒部に係止凸部が設けられていてもよい。
（２）上記実施例では、ゴム栓３０は、電線１０に個別に嵌着されるものとされ、ゴム栓３０が嵌合するゴム栓嵌合部２６Ａは、端子収容室２１に対応して個別に分けて設けられているが、これに限らず、例えば、ゴム栓は、複数の電線を貫通させてその電線の周りを一括してシールする一括ゴム栓であっても良い。この場合、ゴム栓が嵌合するゴム栓嵌合部は、複数の端子収容室に連通して設けられていてもよい。
（３）上記実施例では、係止凹部５０Ａは嵌合筒部２６を内外方向に貫通する孔状とされているが、これに限らず、例えば、係止凹部は、嵌合筒部の内周面を凹ませた非貫通の形態であってもよい。
（４）上記実施例では、係止部５０は、３つのゴム栓嵌合部２６Ａの全てに対応するように設けられているが、これに限らず、係止部は、３つのゴム栓嵌合部の一部のみと対応するように設けられていてもよい。
（５）上記実施例では、凹凸嵌合部７０は、３つのゴム栓３０の全てに対応するように設けられているが、これに限らず、凹凸嵌合部は、３つのゴム栓の一部のみと対応するように設けられていてもよい。
（６）上記実施例では、ゴム栓３０をゴム栓嵌合部２６Ａに嵌合させる前に、ハウジング２０にシールドシェル６０を組み付けるものとしているが、これに限らず、ゴム栓をゴム栓嵌合部に嵌合させた後に、ハウジングにシールドシェルを組み付けるものとしてもよい。
（７）上記実施例では、リテーナ４０は、リテーナ嵌合部２６Ｂの内周面に設けられた係止凹部５０Ａに係止する係止凸部５０Ｂを有しているが、これに限らず、例えばリテーナは、ハウジングの外周面側に係止する係止部を有するものであってもよい。
（８）上記実施例では、作用力分散部７１は、後側に向かって径方向内側に傾く傾斜をなしているが、これとは反対に、作用力分散部は、後側に向かって径方向外側に傾く傾斜をなしていてもよい。
（９）上記実施例では、ゴム栓３０は、電線１０に個別に外嵌されるものとされ、凹凸嵌合部７０は一の挿通孔３１を内側に含んだ形態で設けられているが、これに限らず、ゴム栓は、複数の電線を貫通させてその電線の周りを一括してシールする一括ゴム栓であっても良く、このような場合には、凹凸嵌合部は、複数の挿通孔を内側に含んだ形態で設けられていても良く、また、例えば、隣り合う挿通孔の間に位置する部分に設けられていてもよい。
（１０）上記実施例では、作用力分散部７１は、凹凸嵌合部７０の全周に形成されているが、これに限らず、凹凸嵌合部の周方向に間欠的に形成されていてもよい。
（１１）上記実施例では、作用力分散部７１は、ゴム栓３０およびリテーナ４０の両方に設けられているが、作用力分散部は、ゴム栓およびリテーナのいずれか一方のみに設けられていてもよい。
（１２）上記実施例では、凹凸嵌合部７０は、ゴム栓３０の後面３０Ａに設けられた嵌合凸部７０Ａと、リテーナ４０の前面４０Ａに設けられた嵌合凹部７０Ｂとを有しているが、これに限らず、反対に、凹凸嵌合部は、ゴム栓側に設けられた嵌合凹部と、リテーナ側に設けられた嵌合凸部とを有するものであってもよい。
（１３）上記実施例では、ゴム栓３０の後面３０Ａとリテーナ４０の前面４０Ａとが全面的に当接するものとされているが、これに限らず、ゴム栓の後面とリテーナの前面とは、少なくとも作用力分散部において当接するものであればよい。
【符号の説明】
【００６２】
Ｃ…防水コネクタ
１０…電線
１１…端子金具
２０…ハウジング
２１…端子収容室
２６Ａ…ゴム栓嵌合部
２６Ｂ…リテーナ嵌合部
３０…ゴム栓
３０Ａ…ゴム栓の後面（対向面）
３１…挿通孔
４０…リテーナ
４０Ａ…リテーナの前面（対向面）
５０…係止部
７０…凹凸嵌合部
７１…作用力分散部
【図１】
2015122267.tif 000003
【図２】
2015122267.tif 000004
【図３】
2015122267.tif 000005
【図４】
2015122267.tif 000006
【図５】
2015122267.tif 000007
【図６】
2015122267.tif 000008
【図７】
2015122267.tif 000009